(57)【要約】【課題】  ウォーターガンの回転バルブ密閉構造を提供する。【解決手段】  本考案の回転バルブはウォーターガン本体の進水経路及び排水経路の間に設置されたウォーターガン本体を横向きに貫通する一つの収容槽の中に取り付けられており、回転バルブには放射状に貫通する水透過穴が設けられ、回転バルブの両側はウォーターガン本体の外部に取り付けられた一つのトグルスイッチと連結している。トグルスイッチを動かすことで回転バルブの角度を調整し、回転バルブの水透過穴及び進水経路、排水経路の開放、閉鎖の制御を行うことができる。【選択図】      図２
0003129137.tif 000002
【実用新案登録請求の範囲】
【請求項１】
ウォーターガンの回転バルブ密閉構造であって、
ウォーターガン本体の進水経路及び排水経路の間に設置される、該ウォーターガン本体を横向きに貫通する収容槽の中に取り付けられる回転バルブと、
前記ウォーターガン本体の外部に取り付けられるトグルスイッチと、
前記回転バルブに設けられる放射状に貫通する水透過穴と、
前記回転バルブの外周と前記収容槽の間に密閉機能を有する止水リングと、
前記回転バルブの外周壁と前記ウォーターガン本体の進水経路若しくは排水経路の対向部位に設置される弾性密閉部と、
を含み、
前記回転バルブの両側が前記トグルスイッチと連結し、前記トグルスイッチを上下に動かすことで前記回転バルブの角度を調整し、前記弾性密閉部により前記水透過穴、前記進水経路及び前記排水経路の開放と閉鎖の制御を行う、
ウォーターガンの回転バルブ密閉構造。
【請求項２】
前記回転バルブの外周壁には凹部が設置され、前記弾性密閉部は該凹部内に組み込む、
請求項１に記載のウォーターガンの回転バルブ密閉構造。
【請求項３】
前記凹部は、環状の凹溝であり、前記弾性密閉部と合わせてＯ型リングを形成する、
請求項２に記載のウォーターガンの回転バルブ密閉構造。
【請求項４】
前記凹部は凹んだ形態であり、前記弾性密閉部は前記凹部と合わせてパッド形態を形成する、
請求項２に記載のウォーターガンの回転バルブ密閉構造。
【請求項５】
前記弾性密閉部は、前記回転バルブの外周壁と一体成型される筒状の弾性表層の所定部位に形成される弧形凸部である、
請求項１に記載のウォーターガンの回転バルブ密閉構造。
【考案の詳細な説明】
【技術分野】
【０００１】
本考案は、ウォーターガンに関し、特に、ウォーターガンの回転バルブ密閉構造に関する。
【背景技術】
【０００２】
旧式のウォーターガンは水の噴出量を上手く制御できないため、水の噴出量が多すぎるまたは噴出力が強すぎる等、ユーザーの様々な需要に対応できないという欠点が存在していた。図１には従来のウォーターガン制御構造が掲げられており、そのウォーターガン１０の特徴は本体１１の進水経路１２と排水経路１３の間に一つの回転バルブ１４が取り付けられることである。その回転バルブ１４の回転角度及び回転バルブ１４に設置されている一つの水透過穴１６と進水経路１２、排水経路１３の開閉状態は、本体１１の外部の一つのトグルスイッチ１５によって制御されている。さらに、排水経路１３と回転バルブ１４の接続部には一つの止水部品２０が設置され、その止水部品２０は一つの弾性密閉リング２１及びその弾性密閉リング２１を固定するための一つの固定リング２２によって構成されており、交互閉鎖状態における回転バルブ１４の水漏れを防止する役割を果たしている。しかし、上述の既存の止水部品２０は弾性密閉リング２１及び固定リング２２の二つのパーツによって構成されているため、製造業者にとって、原料、製造及び組立てのいずれにおいても高いコストを要し、収益性に見合わないものとなってしまい、その問題を改善すべく、本考案では主に上述の止水部品２０の改良構造を提案している。
【０００３】
したがって、既存のウォーターガンの回転バルブ密閉構造の問題点を改善し、より理想的で実用性を伴った新型構造を開発することは消費者が待望することであり、当業者の目指すところでもある。
【考案の開示】
【考案が解決しようとする課題】
【０００４】
本考案の目的は、ウォーターガンの回転バルブ密閉構造を提供することにある。
【課題を解決するための手段】
【０００５】
本考案のウォーターガンの回転バルブ密閉構造は、ウォーターガン本体の進水経路及び排水経路の間に設置される、該ウォーターガン本体を横向きに貫通する収容槽の中に取り付けられる回転バルブと、前記ウォーターガン本体の外部に取り付けられるトグルスイッチと、前記回転バルブに設けられる放射状に貫通する水透過穴と、前記回転バルブの外周と前記収容槽の間に密閉機能を有する止水リングと、前記回転バルブの外周壁と前記ウォーターガン本体の進水経路若しくは排水経路の対向部位に設置される弾性密閉部と、を含み、前記回転バルブの両側が前記トグルスイッチと連結し、前記トグルスイッチを上下に動かすことで前記回転バルブの角度を調整し、前記弾性密閉部により前記水透過穴、前記進水経路及び前記排水経路の開放と閉鎖の制御を行う。
【考案の効果】
【０００６】
本考案は、ウォーターガンの回転バルブ密閉構造を提供する。
【考案を実施するための最良の形態】
【０００７】
次に、添付した図面を参照しながら、本考案の好適な実施例を詳細に説明する。
【０００８】
図２、図３、図４、図５は本考案におけるウォーターガンの回転バルブ密閉改良構造の好適な実施例である。但し、これらの実施例は説明をするための参考とし、その構造に限られることはない。回転バルブ３０は、ウォーターガン本体４０の進水経路４１及び排水経路４２の間に設置されたウォーターガン本体４０を横向きに貫通する一つの収容槽４３の中に取り付けられおり、その回転バルブ３０には放射状に貫通する水透過穴３１が設置され、回転バルブ３０の外周の両側には収容槽４３との間を密閉するための止水リング３２が設置されている。また、回転バルブ３０の両側はウォーターガン本体４０の外部に取り付けられた一つのｎ型トグルスイッチ５０と連結しており、トグルスイッチ５０を上下に動かすことで回転バルブ３０の角度を調整し、回転バルブ３０の水透過穴３１及び進水経路４１、排水経路４２の開閉制御を行うことができる。本考案における設計ポイントは回転バルブ３０の外周壁とウォーターガン本体４０の排水経路４２の相対部分に一つの弾性密閉部を設置したことであり、その弾性密閉部は以下のような様々な実施形態を採ることができる。
【０００９】
図２、図３は回転バルブ３０の外周壁に弾性密閉部品６０を組み込むための一つの凹部３３を設置するという一種の弾性密閉部の実施形態を示している。その構造における凹部３３は環状の凹溝形態とすることができ、密閉部品６０と合わせて一つのＯ型リングを形成している。
【００１０】
このほか、図８に掲げられた凹部３３Ｂは凹んだ形態となっており、本実施例における密閉部品６０Ｂはそれに合わせてパッド形態を採用している。
【００１１】
上述の構造、設計に基づいた上述の実施例の使用状況を以下に説明する。
【００１２】
図４、図５が示すように、本実施例のトグルスイッチ５０を上に切り替えると、回転バルブ３０の水透過穴３１及び進水経路４１、排水経路４２を連通、開放させ、給水を行うことができる。この時、回転バルブ３０の外周壁に設置されている密閉部品６０は働きをなさない状態にある。
【００１３】
図６、図７が示すように、回転バルブ３０の水透過穴３１及び進水４１、排水経路４２が錯位  （即ち交互にずれている状態）にある時、給水は中止される。この状態において、密閉部品６０及び排水経路４２の対向部位は完全に密閉され、水漏れ防止の目的が達成される。
【００１４】
図９、図１０が示すように、弾性密閉部は回転バルブ３０外周壁とウォーターガン本体の進水経路４１の対向部位に設置することも可能である。このような設置方法を採用した場合、回転バルブ３０の水透過穴３１及び進水経路４１、排水経路４２は錯位（即ち交互にずれている状態）となるため、給水は中止され、弾性密閉部の密閉部品６０は進水経路４１と対向するようになり、経路を閉鎖するとともに、上述と同等の水漏れ防止効果を果たすことができる。
【００１５】
図１１、図１２は弾性密閉部の他の具体的な実施形態を示している。回転バルブ３０の外周壁には一つの筒状の弾性表層７０（ゴム材質可）が一体結合されており、その弾性表層７０の所定部位には一つの弧形凸部７１が形成されている。回転バルブ３０の水透過穴３１と進水経路４１、排水経路４２（図６、図７を参照）が交互閉鎖状態にある時、弾性表層７０の弧形凸部７１はちょうど進水経路４１（或は排水経路４２）と対応する形となり、経路を閉鎖して水漏れ防止の役割を果たすことができる。
【００１６】
本考案に掲げるウォーターガンの回転バルブ密閉構造は、主に回転バルブ３０の外周壁とウォーターガン本体４０の排水経路４２の対向部分に弾性密閉部を設置した斬新的な改良設計となっている。回転バルブ３０の水透過穴３１及び進水経路４１、排水経路４１が交互閉鎖状態である時、弾性密閉部は排水経路４２と対向するようになり、経路を閉鎖するとともに、水漏れ防止の効果を果たすことができる。これにより、従来のような、弾性密閉リング及び固定リングの二つのパーツによって構成されている既存の止水部品に較べ、本考案では、回転バルブの外周壁に凹部３３及びそれと組み合わせるための一つの密閉部品６０を直接設置する、若しくは弾性表層７０を直接形成する方法で水漏れ防止の目的を達成できるため、材料、製造及び組立てのいずれの観点をとっても、コスト削減、構造の簡略化、収益性及び進歩性に見合ったものとなっている。
【００１７】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００１８】
【図１】従来構造の組み合わせ断面図である。
【図２】本考案の構造を示す分解立体図である。
【図３】本考案の構造を示す局部パーツの拡大立体図である。
【図４】本考案の構造を示す組み合わせ断面図（その一）であり、給水状態を示している。
【図５】図４における回転バルブの局部拡大図である。
【図６】本考案の構造を示す組み合わせ断面図（その二）であり、止水状態を示している。
【図７】図６における回転バルブの局部拡大図である。
【図８】本考案における凹部及び密閉部品に係る他の実施例を示す図である。
【図９】本考案の弾性密閉部組み合わせ形態の他の実施例を示す図である。
【図１０】図９の構造における作動状態イメージ図である。
【図１１】本考案における弾性密閉部の他の実施形態を示す立体イメージ図である。
【図１２】本考案の弾性密閉部の他の実施形態を示す断面図である。
【符号の説明】
【００１９】
１０      ウォーターガン
１１      本体
１２      進水経路
１３      排水経路
１４      回転バルブ
１５      トグルスイッチ
１６      水透過穴
２０      止水部品
２１      弾性密閉リング
２２      固定リング  
３０      回転バルブ
３１      水透過穴
３２      止水リング
３３      凹部
４０      ウォーターガン本体
４１      進水経路
４２      排水経路
４３      収容槽
５０      トグルスイッチ
６０      密閉部品
７０      弾性表層
７１      弧形凸部
【図１】
0003129137.tif 000003
【図２】
0003129137.tif 000004
【図３】
0003129137.tif 000005
【図４】
0003129137.tif 000006
【図５】
0003129137.tif 000007
【図６】
0003129137.tif 000008
【図７】
0003129137.tif 000009
【図８】
0003129137.tif 000010
【図９】
0003129137.tif 000011
【図１０】
0003129137.tif 000012
【図１１】
0003129137.tif 000013
【図１２】
0003129137.tif 000014